(57)【要約】      （修正有）【課題】粉塵発生源から生じた粉塵を、室内空間に飛散する前に集塵、清浄化するための機能を備える事により、粉塵が室内空間を浮遊する時間を短くし、粉塵が家具、床等に沈着すること、および人体に吸引されるなどの健康被害を防止する。【解決手段】空気清浄機１の上面部分１１に収納部８を設け、ここに粉塵の発生源となる生活用品、事務用品等を収納しておくことにより、これらを使用、または保管している際に発生した粉塵を、室内空間に飛散する前に空気清浄機１内に吸引し、清浄化する。【選択図】図１
2017227424.tif 000002
【特許請求の範囲】
【請求項１】
ティシュ箱、ハンディーモップなどの粉塵の発生源となる用品や、その他生活用品、事務用品等を収納するための収納部を、上面部分に備えたことを特徴とする空気清浄機。
【請求項２】
収納部に、少なくとも１個の通気口を設けたことを特長とする、請求項１に記載の空気清浄機。
【請求項３】
収納部に、カバーを設けたことを特長とする請求項１に記載の空気清浄機。
【請求項４】
収納部に、カバーを設けたことを特長とする請求項２に記載の空気清浄機。
【発明の詳細な説明】
【技術分野】
【０００１】    本発明は、一般家庭、事務室等で使用される空気清浄機に関するものである。
【発明の概要】
【発明が解決しようとする課題】
【０００２】    一般家庭、事務室等で使用されている従来の空気清浄機は、すでに室内空間に浮遊してしまっている粉塵を集塵、清浄化する機能を有しているが、粉塵発生源から生じた粉塵を、室内空間に飛散する前に集塵、清浄化するための機能を備えていない。【０００３】    従来の空気清浄機の構造、効果、課題について、図９、図１０をもとに説明すると、空気清浄機１０１には、空気中の粉塵を清浄化するための集塵装置１０４、送風装置１０５が内蔵されており、また、空気清浄機本体１０２の前面部分１０８とフロントパネル１０９との間には、空気を取り込むための吸込み口１０３が形成されている。【０００４】    さらに、空気清浄機１０１の上面部分１１０には、吹出し口１０６、および運転停止スイッチ、風量切換スイッチなどのスイッチ類や表示ランプ等を配置した操作表示制御部１０７、などが構成されている。【０００５】    空気清浄機１０１を運転すると、室内空間に浮遊している粉塵等は、吸込口１０３から送風装置１０５によって空気清浄機１０１内に吸引され、途中、集塵装置１０４によって集塵、清浄化されて吹出口１０６から室内に戻される。【０００６】    したがって、従来の空気清浄機１０１は、粉塵の発生源となる生活用品、事務用品等を収納するための構造を有していないので、空気清浄機１０１と粉塵の発生源との距離が離れている場合には、粉塵が室内空間を浮遊したのちに空気清浄機１０１に到達するため、その間に粉塵の一部が家具や床面等に沈着してしまうばかりか、粉塵が人体内に吸引されることによる健康上の被害も考えられる、などの課題があった。
【課題を解決するための手段】
【０００７】    本発明は、粉塵の発生源となる生活用品等から発生した粉塵の一部を、室内空間に浮遊する前に空気清浄機にて集塵、清浄化を可能とする構造を備えたものであり、以下に本発明の構造、動作について、図１、図２を参照しながら説明する。【０００８】    本発明は、空気清浄機本体２の上面部分１１に、吹出し口６、操作表示制御部７のほかに、粉塵の発生源となる生活用品、事務用品等を収納するための収納部８を設けたことを特長とする空気清浄機である。【０００９】    吸込み口３は空気清浄機本体２の前面部分９とフロントパネル１０との間に、全周にわたって形成されており、したがって収納部８付近の空気も、近くの吸込み口３から空気清浄機１に吸引されて集塵、清浄化される。【００１０】    粉塵の発生源となる生活用品、事務用品としては、ティシュ箱、ハンディモップ、衣服などのほこりを除去するためのブラシ類、家電や家具などの掃除に使われるクロス、電動シェーバー、マスクなどが考えられるが、以下に本発明の一実施例として、収納部８に、ティシュ箱１４を収納して、ティシュペーパー１５を引き抜いた場合について、その動作を、図３、図４を参照しながら説明する。【００１１】    操作表示制御部７を操作して空気清浄機１を運転すると、室内空間の汚れた空気は吸込口３から送風装置５によって空気清浄機１の中に吸い込まれ、途中、集塵装置４によって粉塵等が除去、清浄化されたのち吹出口６から室内空間に戻される機能は、従来の空気清浄機と同様である。【００１２】    本発明では、空気清浄機の上面部分１１の吸込み口３の近くに収納部８を設けてあるので、ここにティシュ箱１４を置き、ティシュペーパー１５を引き抜くと、そのとき生じた粉塵の一部も直近の吸込口３から吸引され、集塵装置４によって除去され、清浄化されて吹出口６から室内空間に戻される。【００１３】    すなわち、粉塵の発生源となる生活用品、事務用品を収納部に収納しておくことにより、これらを使用、または保管しておくときに発生した粉塵の一部は、吸込み口３から空気清浄機１内に吸引され、清浄化されて室内空間に戻されるので、これらから発生した粉塵が長時間室内空間に浮遊する量を減少させる効果がある。【００１４】    なお、収納部８には、吸込み口３に面する部分に、図５に示すように、通気口１２を設けると、より効果的である。【００１５】    通気口１２は吸込み口３の一部としての機能を持つと同時に、収納部８の底に溜まった粉塵を吸引し、清浄化する効果もあるので、電動シェーバー、花粉の付着したマスク、ほこりの付いているクロスなど、保管場所に困る生活用品、事務用品を収納するのに便利である。【００１６】    また、室内で電動シェーバーを使用するとき、いわゆる髭屑が飛散する場合があるが、空気清浄機を運転して、その近くで電動シェーバーを使用すれば、髭屑の一部が空気清浄機１に吸引され、清浄化されるので、室内空間に飛散する髭屑の量を減らすことが出来ると同時に、収納部８が近くにあるので便利である等の利点がある。【００１７】    収納部８の位置は、空気清浄機１の上面部分であればどこでもよく、たとえば、図６に示すように、収納部８を右側にし、操作表示制御部７を左側に設置してもよい。【���０１８】    さらに、図７に示すように、操作表示制御部７を左右に分割して、これらの間に収納部８を設置する方法もある。【００１９】    なお、図８に示すように、収納部８に、カバー１３を付けてもよい。カバー１３は生活用品、事務用品等を使用するときは開け、使用しないときは閉じておけば、外見上体裁が良い効果がある。【００２０】    以上、本発明を実施するための形態について記述したが、本発明は記述の実施形態に限定されるものではなく、技術思想に基づいた変更が可能である。
【図面の簡単な説明】
【００２１】
【図１】本発明の空気清浄機の斜視図
【図２】同断面図
【図３】本発明の空気清浄機の動作説明斜視図
【図４】同断面図
【図５】通気口の説明断面図
【図６】収納部にカバーを付けた説明図
【図７】収納部と操作表示制御部との他の配置例１
【図８】収納部と操作表示制御部との他の配置例２
【図９】従来の空気清浄機の斜視図
【図１０】同断面図
【符号の説明】
【００２２】  １  空気清浄機
２  空気清浄機本体
３  吸込み口
４  集塵装置
５  送風装置
６  吹出し口
７  操作表示制御部
８  収納部
９  空気清浄機本体の前面部分
１０  フロントパネル
１１  空気清浄機本体の上面部分
１２  通気口
１３  カバー
１４  ティシュ箱
１５  ティシュペーパー
【図１】
2017227424.tif 000003
【図２】
2017227424.tif 000004
【図３】
2017227424.tif 000005
【図４】
2017227424.tif 000006
【図５】
2017227424.tif 000007
【図６】
2017227424.tif 000008
【図７】
2017227424.tif 000009
【図８】
2017227424.tif 000010
【図９】
2017227424.tif 000011
【図１０】
2017227424.tif 000012